(57)【特許請求の範囲】
【請求項１】
外部端子をそれぞれ有し且つ第一方向に並ぶ複数の蓄電素子と、
第一方向に隣り合う蓄電素子の間に配置される隣接部材と、
前記複数の蓄電素子と前記隣接部材との周囲を囲むことで前記複数の蓄電素子と前記隣接部材とを保持する保持部材であって、前記隣接部材が固定される保持部材と、
前記複数の蓄電素子のうちの前記隣接部材の両側に配置される蓄電素子の前記外部端子同士を導通させるバスバと、を備え、
前記バスバは、該バスバによって導通された一方の外部端子に接続される第一接続部と、該バスバによって導通された他方の外部端子に接続される第二接続部と、前記第一接続部と前記第二接続部との間において前記隣接部材と間隔を設けた状態で第一方向と直交する第二方向における前記隣接部材から離れる向きに凸状に延びる部位と、を有し、
前記凸状に延びる部位は、前記第一接続部から第二方向に延びる第一起立部と、第二接続部から第二方向に延びる第二起立部と、第一方向に延びることにより前記第一起立部と前記第二起立部とを繋ぐ架け渡し部であって、第二方向に間隔を設けた状態で前記隣接部材と対向する架け渡し部と、を有し、
前記隣接部材は、前記架け渡し部に向かって突出し且つ前記第一起立部と前記第二起立部との間に位置する凸部を有し、
前記隣接部材の凸部は、前記バスバと当接していない、蓄電装置。
【請求項２】
外部端子をそれぞれ有し且つ第一方向に並ぶ複数の蓄電素子と、
第一方向に隣り合う蓄電素子の間に配置される隣接部材と、
前記複数の蓄電素子と前記隣接部材との周囲を囲むことで前記複数の蓄電素子と前記隣接部材とを保持する保持部材であって、前記隣接部材が固定される保持部材と、
前記複数の蓄電素子のうちの前記隣接部材の両側に配置される蓄電素子の前記外部端子同士を導通させるバスバと、を備え、
前記バスバは、該バスバによって導通された一方の外部端子に接続される第一接続部と、該バスバによって導通された他方の外部端子に接続される第二接続部と、前記第一接続部と前記第二接続部との間において前記隣接部材と間隔を設けた状態で第一方向と直交する第二方向における前記隣接部材から離れる向きに凸状に延びる部位と、を有し、
前記凸状に延びる部位は、前記第一接続部から第二方向に延びる第一起立部と、第二接続部から第二方向に延びる第二起立部と、第一方向に延びることにより前記第一起立部と前記第二起立部とを繋ぐ架け渡し部であって、第二方向に間隔を設けた状態で前記隣接部材と対向する架け渡し部と、を有し、
前記隣接部材は、前記架け渡し部に向かって突出し且つ前記第一起立部と前記第二起立部との間に位置する凸部を有し、
前記バスバは、
前記隣接部材の両側に配置される蓄電素子が第一方向に所定量以上接近しようとした場合に前記第一起立部と前記第二起立部とが前記隣接部材の凸部と当接することで前記接近を防ぐ一方、
前記隣接部材の両側に配置される蓄電素子が第一方向に所定量以上離間しようとした場合に前記架け渡し部が前記隣接部材の凸部と当接することで前記離間を防ぐ、蓄電装置。
【請求項３】
前記バスバは、前記第一起立部と前記架け渡し部との間、及び前記第二起立部と前記架け渡し部との間の少なくとも一方に、曲がっている部位を有する、請求項１又は２に記載の蓄電装置。
【請求項４】
外部端子をそれぞれ有し且つ第一方向に並ぶ複数の蓄電素子と、
第一方向に隣り合う蓄電素子の間に配置される隣接部材であって、前記複数の蓄電素子及び該隣接部材を支持する支持体に固定可能な隣接部材と、
前記複数の蓄電素子のうちの前記隣接部材の両側に配置される蓄電素子の前記外部端子同士を導通させるバスバと、を備え、
前記バスバは、該バスバによって導通された一方の外部端子に接続される第一接続部と、該バスバによって導通された他方の外部端子に接続される第二接続部と、前記第一接続部と前記第二接続部との間において前記隣接部材と間隔を設けた状態で第一方向と直交する第二方向における前記隣接部材から離れる向きに凸状に延びる部位と、を有し、
前記凸状に延びる部位は、前記第一接続部から第二方向に延びる第一起立部と、第二接続部から第二方向に延びる第二起立部と、第一方向に延びることにより前記第一起立部と前記第二起立部とを繋ぐ架け渡し部であって、第二方向に間隔を設けた状態で前記隣接部材と対向する架け渡し部と、を有し、
前記隣接部材は、前記架け渡し部に向かって突出し且つ前記第一起立部と前記第二起立部との間に位置する凸部を有し、
前記隣接部材の凸部は、前記バスバと当接していない、蓄電装置。
【発明の詳細な説明】
【技術分野】
【０００１】
本発明は、外部端子を有する蓄電素子と前記外部端子に接続されるバスバとを備える蓄電装置に関する。
【背景技術】
【０００２】
従来から、複数の扁平形二次電池を備えたバッテリシステムが知られている（特許文献１参照）。具体的に、このバッテリシステムは、電極端子をそれぞれ有し且つ厚さ方向に積層されている複数の扁平形二次電池と、隣接する前記扁平形二次電池の前記電極端子を接続しているバスバと、扁平形二次電池の間に配置されている中間補強プレートと、を備える。
【０００３】
前記バスバは、前記扁平形二次電池の積層方向に真っ直ぐに延びる平板状の導通部材であり、前記バスバの両端は、前記接続する電極端子にそれぞれ固定されている。前記中間補強プレートの両側に配置される前記扁平形二次電池の電極端子同士も、前記バスバによって接続されている。また、前記バッテリシステムは、扁平二次電池を積層方向に加圧してなるバインドバー及びエンドプレートを備える。前記中間補強プレートは、前記バインドバーにネジ止めにより固定されている。
【０００４】
前記バッテリシステムでは、前記扁平形二次電池の積層方向の加速度が生じたときに、前記中間補強プレートが前記バインドパーに固定されているため、前記積層方向における前記中間補強プレートの一方側の扁平形二次電池と他方側の扁平形二次電池との移動量に違いが生じてその間隔が変化する場合がある。
【０００５】
この場合、前記一方側の扁平形二次電池の電極端子と前記他方側の扁平形二次電池の電極端子とを接続するバスバにおいて、前記電極端子との接続部分に前記間隔の変化に起因する応力が集中して該部分が損傷し易い。
【０００６】
このような事象は、外部への電気の入出力に用いられるバッテリシステムの総端子がエンドプレートに固定されている場合でも生じ得る。即ち、エンドプレートに固定された総端子と扁平形二次電池の電極端子との移動量に違いが生じてその間隔が変化する結果、総端子と電極端子とを接続するバスバにおいて、その変化に起因する応力が電極端子又は操短しとの接続部分に集中して該部分が損傷し易い。
【先行技術文献】
【特許文献】
【０００７】
【特許文献１】特開２０１４−４４８８４号公報
【発明の概要】
【発明が解決しようとする課題】
【０００８】
そこで、本実施形態は、蓄電素子の外部端子に接続されるバスバが損傷し難い蓄電装置を提供することを目的とする。
【課題を解決するための手段】
【０００９】
本実施形態の蓄電装置は、
外部端子をそれぞれ有し且つ第一方向に並ぶ複数の蓄電素子と、
第一方向に隣り合う蓄電素子の間に配置される隣接部材と、
前記複数の蓄電素子と前記隣接部材との周囲を囲むことで前記複数の蓄電素子と前記隣接部材とを保持する保持部材であって、前記隣接部材が固定される保持部材と、
前記複数の蓄電素子のうちの前記隣接部材の両側に配置される蓄電素子の前記外部端子同士を導通させるバスバと、を備え、
前記バスバは、該バスバによって導通された一方の外部端子に接続される第一接続部と、該バスバによって導通された他方の外部端子に接続される第二接続部と、前記第一接続部と前記第二接続部との間において前記隣接部材と間隔を設けた状態で第一方向と直交する第二方向における前記隣接部材から離れる向きに凸状に延びる部位及び第二方向の前記隣接部材に接近する向きに凹状に延びる部位の少なくとも一方の部位と、を有する。
【００１０】
かかる構成によれば、蓄電装置に第一方向の加速度等が生じたときの保持部材（隣接部材）と、隣接部材の一方側の蓄電素子と、隣接部材の他方側の蓄電素子との移動距離の違い等によって隣接部材の両側に配置される蓄電素子同士の間隔が変化しても、該蓄電素子の外部端子同士を接続するバスバの前記凸状に延びる部位及び前記凹状に延びる部位の少なくとも一方の部位が広がる又は狭まることで、バスバにおける外部端子と接続されている部位に前記間隔の変化に起因する応力が集中するのが抑えられる。これにより、バスバにおいて前記間隔の変化に起因する損傷が防がれる、即ち、隣接部材の両側に配置される蓄電素子の外部端子同士を接続するバスバが損傷し難くなる。
【００１１】
前記蓄電装置では、
前記凸状に延びる部位又は前記凹状に延びる部位は、前記第一接続部から第二方向に延びる第一起立部と、第二接続部から第二方向に延びる第二起立部と、第一方向に延びることにより前記第一起立部と前記第二起立部とを繋ぐ架け渡し部であって、第二方向に間隔を設けた状態で前記隣接部材と対向する架け渡し部と、を有してもよい。
【００１２】
このような簡素な構成によって、バスバにおける外部端子と接続されている部位に、隣接部材の両側に配置される蓄電素子同士の間隔が変化したときの該間隔の変化に起因する応力が集中することを、抑えることができる。
【００１３】
また、前記蓄電装置では、
前記バスバは、前記第一起立部と前記架け渡し部との間、及び前記第二起立部と前記架け渡し部との間の少なくとも一方に、曲がっている部位を有してもよい。
【００１４】
かかる構成によれば、隣接部材の両側に配置される蓄電素子同士の間隔が変化したときに、凸状に延びる部位（又は凹状に延びる部位）に加え、前記曲がっている部位が延びる又はより曲がることで、バスバにおける外部端子と接続されている部位に前記間隔の変化に起因する応力が集中するのがより効果的に抑えられる。
【００１５】
また、前記蓄電装置では、
前記バスバは、前記第一接続部と前記第二接続部との間に前記凸状に延びる部位を有し、
前記隣接部材は、前記架け渡し部に向かって突出し且つ前記第一起立部と前記第二起立部との間に位置する凸部を有してもよい。
【００１６】
かかる構成によれば、隣接部材を挟んで隣り合う蓄電素子同士の間隔が所定量以上変化しようとしたときに、第一起立部と第二起立部とが凸部と当接し、又は架け渡し部が凸部と当接等することで、前記間隔の変化が抑えられる。
【００１７】
また、本実施形態の蓄電装置は、
外部端子をそれぞれ有し且つ第一方向に並ぶ複数の蓄電素子と、
第一方向に隣り合う蓄電素子の間に配置される隣接部材であって、前記複数の蓄電素子及び該隣接部材を支持する支持体に固定可能な隣接部材と、
前記複数の蓄電素子のうちの前記隣接部材の両側に配置される蓄電素子の前記外部端子同士を導通させるバスバと、を備え、
前記バスバは、該バスバによって導通された一方の外部端子に接続される第一接続部と、該バスバによって導通された他方の外部端子に接続される第二接続部と、前記第一接続部と前記第二接続部との間において前記隣接部材と間隔を設けた状態で第一方向と直交する第二方向における前記隣接部材から離れる向きに凸状に延びる部位及び第二方向の前記隣接部材に接近する向きに凹状に延びる部位の少なくとも一方の部位と、を有する。
【００１８】
かかる構成によれば、隣接部材が支持体に固定された状態で該支持体に第一方向の加速度等が生じたときの隣接部材と、隣接部材の一方側の蓄電素子と、隣接部材の他方側の蓄電素子との移動距等の違い等によって隣接部材の両側に配置される蓄電素子同士の間隔が変化しても、該蓄電素子の外部端子同士を接続するバスバの前記凸状に延びる部位及び前記凹状に延びる部位の少なくとも一方の部位が広がる又は狭まることで、バスバにおける外部端子と接続されている部位に前記間隔の変化に起因する応力が集中するのが抑えられる。これにより、バスバにおいて前記間隔の変化に起因する損傷が防がれる、即ち、隣接部材の両側に配置される蓄電素子の外部端子同士を接続するバスバが損傷し難くなる。
【００１９】
また、本実施形態の蓄電装置は、
外部端子を有する蓄電素子と、
前記蓄電素子の周囲を囲み、且つ前記蓄電素子を保持する保持部材と、
外部への電気の入出力に用いられ、且つ前記保持部材に固定される総端子と、
前記外部端子と前記総端子とを電気的に接続するバスバと、を備え、
前記バスバは、前記外部端子に接続される第一接続部と、前記総端子に接続される第二接続部と、前記第一接続部と前記第二接続部との間において、前記外部端子と前記総端子とが並ぶ方向と直交する方向における前記外部端子及び前記総端子から離れる向きに凸状に延びる部位及び前記直交する方向の前記外部端子及び前記総端子に接近する向きに凹状に延びる部位の少なくとも一方の部位と、を有する。
【００２０】
かかる構成によれば、蓄電装置にバスバによって接続される総端子と外部端子とが並ぶ方向の加速度等が生じたときの保持部材と蓄電素子との移動距離の違い等によって総端子と外部端子との間隔が変化しても、総端子と外部端子とを接続するバスバの前記凸状に延びる部位及び前記凹状に延びる部位の少なくとも一方の部位が広がる又は狭まることで、バスバにおける総端子と接続されている部位及び外部端子と接続されている部位に前記間隔の変化に起因する応力が集中するのが抑えられる。これにより、バスバにおいて前記間隔の変化に起因する損傷が防がれる、即ち、蓄電素子の外部端子と保持部材に固定された総端子とを接続するバスバが損傷し難くなる。
【発明の効果】
【００２１】
以上より、本実施形態によれば、外部端子に接続されるバスバが損傷し難い蓄電装置を提供することができる。
【図面の簡単な説明】
【００２２】
【図１】図１は、本実施形態に係る蓄電装置の斜視図である。
【図２】図２は、前記蓄電装置の構成を一部省略した状態の分解斜視図である。
【図３】図３は、前記蓄電装置に用いられる蓄電素子の斜視図である。
【図４】図４は、前記蓄電素子の分解斜視図である。
【図５】図５は、前記蓄電装置における第一バスバ及びその周辺の拡大斜視図である。
【図６】図６は、第二バスバの斜視図である。
【図７】図７は、端部バスバの斜視図である。
【図８】図８は、図１のＸ−Ｘ位置における断面図であって、端子台及びその周辺の断面図である。
【図９】図９は、第一バスバによって接続される蓄電素子の間が広くなったときの第一バスバを示す模式図である。
【図１０】図１０は、第一バスバによって接続される蓄電素子の間が狭まったときの第一バスバを示す模式図である。
【図１１】図１１は、凹状の緩衝部を有する第一バスバを説明するための図である。
【図１２】図１２は、迂回部を有する前記緩衝部を備えた第一バスバを説明するための図である。
【図１３】図１３は、他実施形態に係る迂回部を説明するための模式図である。
【図１４】図１４は、凸部のない第一隣接部材を説明するための図である。
【図１５】図１５は、他実施形態に係る第一バスバと凸部との間隔を説明するための図であって、第一隣接部材の両側の蓄電素子同士の間隔が大きくなったときの図である。
【図１６】図１６は、他実施形態に係る第一バスバと凸部との間隔を説明するための図であって、第一隣接部材の両側の蓄電素子同士の間隔が小さくなったときの図である。
【発明を実施するための形態】
【００２３】
以下、本発明の一実施形態について、図１〜図１０を参照しつつ説明する。尚、本実施形態の各構成部材（各構成要素）の名称は、本実施形態におけるものであり、背景技術における各構成部材（各構成要素）の名称と異なる場合がある。
【００２４】
蓄電装置は、図１及び図２に示すように、外部端子１３をそれぞれ有し且つ所定の方向に並ぶ複数の蓄電素子１０と、隣り合う蓄電素子１０の外部端子１３同士を導通させる複数のバスバ５と、を備える。また、蓄電装置１は、蓄電素子１０と隣り合う複数の隣接部材２と、複数の蓄電素子１０と複数の隣接部材２とをひとまとめに保持する保持部材３と、複数の蓄電素子１０と保持部材３との間に配置されるインシュレータ４と、を備える。また、蓄電装置１は、外部への電気の入出力に用いられる総端子７１（図８参照）を有する一対の端子台７も備える。
【００２５】
複数の蓄電素子１０のそれぞれは、図３及び図４にも示すように、正極及び負極を含む電極体１１と、電極体１１を収容するケース１２と、ケース１２の外面に配置される一対の外部端子１３とを備える。
【００２６】
ケース１２は、開口を有するケース本体１２０と、ケース本体１２０の開口を塞ぐ蓋板１２１とを有する。本実施形態のケース１２は、直方体形状である。
【００２７】
ケース本体１２０は、矩形板状の閉塞部１２３と、閉塞部１２３の周縁に接続された筒状の胴部１２４と、を有する。胴部１２４は、閉塞部１２３の輪郭に沿った角筒状、即ち、扁平な角筒状である。この胴部１２４の一端は、閉塞部１２３によって閉塞され、他端は、開口する。即ち、ケース本体１２０は、扁平な有底角筒形状を有する。
【００２８】
蓋板１２１は、ケース本体１２０の開口を塞ぐ板状の部材である。具体的に、蓋板１２１は、法線方向から見て、ケース本体１２０の開口周縁部に対応した輪郭を有する。本実施形態の蓋板１２１には、一対の外部端子１３が電極体１１の各極（正極、負極）に電気的に接続された状態で取り付けられる。本実施形態の蓋板１２１では、一対の外部端子１３は、矩形の蓋板１２１の長手方向に間隔をあけて配置されている。
【００２９】
以上のケース１２は、電極体１１が内部に収容された状態で、蓋板１２１の周縁部がケース本体１２０の開口周縁部に重ねられて該ケース本体１２０の開口が塞がれ、この状態の蓋板１２１とケース本体１２０との境界部が溶接されることで構成される。
【００３０】
本実施形態の蓄電装置１では、以上のように構成される蓄電素子１０が複数配置されている。具体的には、複数の蓄電素子１０が、胴部１２４の幅広の壁部同士を対向させるように並んでいる。尚、以下の説明では、蓄電素子１０の整列する方向（胴部１２４の幅広の壁部同士が対向する方向：第一方向）を直交座標系におけるＸ軸方向とする。また、蓄電素子１０の胴部１２４の幅狭の壁部同士が対向する方向（第三方向）を直交座標系におけるＹ軸方向とし、蓄電素子１０の蓋板１２１と閉塞部１２３との対向する方向（第二方向）を直交座標系のＺ軸方向とする。これに伴い、各図面に、Ｘ軸方向、Ｙ軸方向、及びＺ軸方向のそれぞれに対応する直交座標軸を補助的に図示する。
【００３１】
隣接部材２は、Ｘ軸方向に並ぶ蓄電素子１０の間、又は蓄電素子１０と該蓄電素子１０に対してＸ軸方向に並ぶ部材（本実施形態の例では、保持部材３の一部）との間に配置される。この隣接部材２は、図２に示すように、複数種の隣接部材を含む。本実施形態の隣接部材２は、蓄電装置１のＸ軸方向の途中位置に配置される蓄電素子１０と隣り合う第一隣接部材（隣接部材）２１と、Ｘ軸方向に並ぶ複数の蓄電素子１０のうちの最も端にある蓄電素子１０と隣り合う第二隣接部材２２と、第一隣接部材２１と第二隣接部材２２との間にある蓄電素子１０と隣り合う第三隣接部材２３と、を含む。
【００３２】
第一隣接部材２１は、Ｘ軸方向に隣り合う蓄電素子１０の間に配置される。これにより、第一隣接部材２１を介してＸ軸方向に並ぶ蓄電素子１０の間に、所定の間隔（沿面距離等）が確保される。また、第一隣接部材２１は、保持部材３に連結（固定）されている。
【００３３】
具体的に、第一隣接部材２１は、蓄電素子１０（ケース本体１２０）と隣り合う本体部（以下、「第一本体部」と称する。）２１１と、第一本体部２１１と隣り合う蓄電素子１０の該第一本体部２１１に対する移動を規制する規制部（以下、「第一規制部」と称する。）２１２と、を有する。また、第一隣接部材２１は、保持部材３と係合する軸部２１３を備える。
【００３４】
第一本体部２１１は、Ｘ軸方向から見て隣り合う蓄電素子１０（ケース１２）に対応する矩形の輪郭を有し、保持部材３に第一本体部２１１を固定（連結）するための連結部２１１１を有する。また、第一本体部２１１は、Ｘ軸方向に隣り合う蓄電素子１０との間に冷却用の流体（本実施形態の例では空気）を通過させる通風路２１５を形成する。詳しくは、第一本体部２１１では、隣り合う蓄電素子１０に向けて（Ｘ軸方向に）突出すると共にＹ軸方向に延びる複数の凸部２１６が、Ｚ軸方向に間隔をあけて並ぶ。これにより、凸部２１６の先端（突出方向の先端）が隣り合う蓄電素子１０と当接することで、第一隣接部材２１と蓄電素子１０との間に通風路２１５が形成される。また、本実施形態の第一隣接部材２１では、第一本体部２１１のＸ軸方向の寸法は、第二隣接部材２２及び第三隣接部材２３における第一本体部２１１に相当する部位のＸ軸方向の寸法より大きい。
【００３５】
また、第一本体部２１１は、凸部２１１２を有する。この凸部２１１２は、図５にも示すように、Ｚ軸方向における第一本体部２１１の一方（本実施形態の例では、蓄電素子１０の蓋板１２１と対応する側）の端部に設けられる。この凸部２１１２は、第一本体部２１１における前記一方の側の端面から部分的に突出した部位である。本実施形態の凸部２１１２は、第一隣接部材２１の両側に配置された蓄電素子１０の外部端子１３同士を導通させるバスバ５とＺ軸方向に重なる位置に設けられる直方体形状の部位である。
【００３６】
連結部２１１１は、第一本体部２１１のＹ軸方向の端部に設けられている。本実施形態の連結部２１１１は、第一本体部２１１のＹ軸方向の両端部にそれぞれ設けられている。この連結部２１１１は、ボルトＢが保持部材３を貫通した状態でねじ込まれる部位である。蓄電装置１では、このボルトＢの連結部２１１１へのねじ込みにより、第一本体部２１１（第一隣接部材２１）と保持部材３とが連結される。本実施形態の連結部２１１１は、第一本体部２１１のＹ軸方向の端部に埋め込まれたナットによって構成される。
【００３７】
第一規制部２１２は、第一本体部２１１からＸ軸方向に延び、第一本体部２１１と隣り合う蓄電素子１０（詳しくはケース１２）とＹ−Ｚ面（Ｙ軸とＺ軸とを含む面）方向の外側から当接することによって該蓄電素子１０の第一本体部２１１に対するＹ−Ｚ面方向への相対移動を規制する。この第一規制部２１２は、第一本体部２１１の少なくとも各角部からＸ軸方向に延び、第一本体部２１１と隣り合う蓄電素子１０（ケース１２）の角部にＹ−Ｚ面方向の外側から当接する面（当接面）を有する。
【００３８】
軸部２１３は、第一本体部２１１のＹ軸方向の端から外側に向けて延び、保持部材３と係合する。本実施形態の軸部２１３は、第一本体部２１１のＹ軸方向の両端から外側に向けてそれぞれ延びている。具体的に、軸部２１３は、第一本体部２１１のＹ軸方向の端部におけるＺ軸方向の途中位置からＹ軸方向に円柱状に延び、保持部材３において該軸部２１３と対応する部位に設けられた貫通孔３１１２に挿通されている。本実施形態の軸部２１３は、蓄電装置１の製造時等において、保持部材３に第一隣接部材２１を連結（固定）するときの保持部材３に対する第一隣接部材２１の位置決め等に用いられる。
【００３９】
第二隣接部材２２は、図１及び図２に示すように、Ｘ軸方向において蓄電素子１０と保持部材３との間に配置される。これにより、第二隣接部材２２を介してＸ軸方向に並ぶ蓄電素子１０と保持部材３との間に、所定の間隔（沿面距離等）が確保される。
【００４０】
具体的に、第二隣接部材２２は、蓄電素子１０と保持部材３との間において該蓄電素子１０（ケース本体１２０）と隣り合う本体部（以下、「第二本体部」と称する。）２２１と、第二本体部２２１と隣り合う蓄電素子１０の該第二本体部２２１に対する移動を規制する規制部（以下、「第二規制部」と称する。）２２２と、を有する。
【００４１】
第二本体部２２１は、Ｘ軸方向から見て隣り合う蓄電素子１０（ケース１２）に対応する矩形の輪郭を有する。また、第二本体部２２１は、Ｘ軸方向に隣り合う蓄電素子１０との間に冷却用の流体（本実施形態の例では空気）を通過させる通風路２２５を形成する。詳しくは、第二本体部２２１では、隣り合う蓄電素子１０に向けて（Ｘ軸方向に）突出すると共にＹ軸方向に延びる複数の凸部２２６が、Ｚ軸方向に間隔をあけて並ぶ。これにより、凸部２２６の先端（突出方向の先端）が隣り合う蓄電素子１０と当接することで、第二隣接部材２２と蓄電素子１０との間に通風路２２５が形成される。
【００４２】
第二規制部２２２は、第二本体部２２１からＸ軸方向に延び、第二本体部２２１と隣り合う蓄電素子１０（詳しくはケース１２）とＹ−Ｚ面方向の外側から当接することによって該蓄電素子１０の第二本体部２２１に対するＹ−Ｚ面方向への相対移動を規制する。この第二規制部２２２は、第二本体部２２１の少なくとも各角部からＸ軸方向に延び、第二本体部２２１と隣り合う蓄電素子１０（ケース１２）の角部にＹ−Ｚ面方向の外側から当接する面（当接面）を有する。
【００４３】
第三隣接部材２３は、第一隣接部材２１と第二隣接部材２２との間において、Ｘ軸方向に隣り合う蓄電素子１０の間に配置される。これにより、第三隣接部材２３を介してＸ軸方向に並ぶ蓄電素子１０の間に、所定の間隔（沿面距離等）が確保される。
【００４４】
具体的に、第三隣接部材２３は、蓄電素子１０（ケース本体１２０）と隣り合う本体部（以下、「第三本体部」と称する。）２３１と、第三本体部２３１と隣り合う蓄電素子１０の該第三本体部２３１に対する移動を規制する規制部（以下、「第三規制部」と称する。）２３２と、を有する。
【００４５】
第三本体部２３１は、Ｘ軸方向から見て隣り合う蓄電素子１０（ケース１２）に対応する矩形の輪郭を有する。また、第三本体部２３１は、Ｘ軸方向に隣り合う蓄電素子１０との間に冷却用の流体（本実施形態の例では空気）を通過させる通風路２３５を形成する。詳しくは、第三本体部２３１は、矩形波形の断面形状を有する。これにより、第三本体部２３１が隣り合う蓄電素子１０と当接することで、該蓄電素子１０との間に通風路２３５が形成される。
【００４６】
第三規制部２３２は、第三本体部２３１からＸ軸方向に延び、第三本体部２３１と隣り合う蓄電素子１０（詳しくはケース１２）とＹ−Ｚ面方向の外側から当接することによって該蓄電素子１０の第三本体部２３１に対するＹ−Ｚ面方向への相対移動を規制する。この第三規制部２３２は、第三本体部２３１の少なくとも各角部からＸ軸方向に延び、第三本体部２３１と隣り合う蓄電素子１０（ケース１２）の角部にＹ−Ｚ面方向の外側から当接する面（当接面）を有する。
【００４７】
保持部材３は、複数の蓄電素子１０と複数の隣接部材２との周囲を囲むことで、これら複数の蓄電素子１０と複数の隣接部材２とをひとまとめに保持する。この保持部材３は、導電性を有する部材によって構成される。具体的に、保持部材３は、Ｘ軸方向において複数の蓄電素子１０が間に位置するように配置される一対の終端部材３０と、複数の蓄電素子１０とＹ軸方向に対向した状態で一対の終端部材３０同士を接続する対向部材３１と、を備える。本実施形態の蓄電装置１では、一対の終端部材３０が、Ｘ軸方向の端に配置された蓄電素子１０との間に第二隣接部材２２を挟み込んだ状態で配置され、一対の対向部材３１がＸ軸方向に並ぶ複数の蓄電素子１０のＹ軸方向の両側に配置される。
【００４８】
一対の終端部材３０のそれぞれは、Ｙ−Ｚ面方向に広がる。具体的に、一対の終端部材３０のそれぞれは、蓄電素子１０と対応する輪郭（本実施形態では矩形状の輪郭）を有する本体３００と、本体３００から第二隣接部材２２の第二本体部２２１に向けて突出し且つ該第二隣接部材２２に当接する圧接部３０１と、端子台７が取り付けられる支持片３０２と、を有する。この支持片３０２は、本体３００の輪郭を構成する四つの辺（端縁）のうちの蓄電素子１０の蓋板１２１と対応する辺から、Ｘ軸方向に延び且つＹ軸方向に長い板状の部位である。
【００４９】
一対の対向部材３１のそれぞれは、Ｘ軸方向に延び且つＺ軸方向に間隔をあけて配置される一対の梁部３１０と、Ｘ軸方向における途中位置（本実施形態の例では、第一隣接部材２１とＹ軸方向に重なる位置）において一対の梁部３１０同士を連結する第一連結部３１１と、一対の梁部３１０の端部同士を連結する一対の第二連結部３１２と、を有する。本実施形態の対向部材３１は、第一連結部３１１と第二連結部３１２との間で一対の梁部３１０を連結する第三連結部３１３も備える。
【００５０】
一対の梁部３１０のそれぞれは、Ｘ軸方向に並ぶ複数の蓄電素子１０（ケース１２）の角部に沿って延びる。第一連結部３１１は、Ｚ軸方向に延び、第一隣接部材２１の連結部２１１１及び軸部２１３と対応する位置（具体的には、Ｙ軸方向に重なる位置）に貫通孔３１１１、３１１２を有する。貫通孔３１１１には、ボルトＢが挿通され、該ボルトＢは、第一隣接部材２１の連結部２１１１にねじ込まれる。これにより、対向部材３１と第一隣接部材２１とが連結される。また、貫通孔３１１２には、第一隣接部材２１の軸部２１３が挿通される。第二連結部３１２は、Ｚ軸方向に延び、終端部材３０と連結される。これにより、終端部材３０と対向部材３１とが接続（連結）される。第三連結部３１３は、Ｙ軸方向において蓄電素子１０と重なる位置においてＺ軸方向に延びる。
【００５１】
インシュレータ４は、絶縁性を有する。このインシュレータ４は、対向部材３１と、Ｘ軸方向に並ぶ複数の蓄電素子１０との間に配置される。具体的に、インシュレータ４は、保持部材３における少なくとも複数の蓄電素子１０と対向する領域を覆う。これにより、インシュレータ４は、保持部材３と、Ｘ軸方向に並ぶ複数の蓄電素子１０との間を絶縁する。
【００５２】
バスバ５は、金属等の導電性を有する板状の部材によって構成される。このバスバ５は、複数種のバスバを含む。本実施形態のバスバ５は、蓄電素子１０の外部端子１３同士を導通させる中間バスバ５０と、蓄電素子１０の外部端子１３と蓄電装置１の総端子７１とを導通させる端部バスバ５３と、を含む。
【００５３】
中間バスバ５０は、蓄電装置１において複数（複数の蓄電素子１０と対応する数）設けられる。これら複数の中間バスバ５０は、蓄電装置１に含まれる複数の蓄電素子１０の全てを直列に接続する（導通させる）。また、複数の中間バスバ５０は、第一隣接部材２１を介して隣り合う蓄電素子１０の外部端子１３同士を導通させる（即ち、第一隣接部材２１を跨いで接続する）第一バスバ５１と、第三隣接部材２３を介して隣り合う蓄電素子１０の外部端子１３同士を導通させる（即ち、第三隣接部材２３を跨いで接続する）第二バスバ５２と、を有する。本実施形態の蓄電装置１は、一つの第一バスバ５１と、複数の第二バスバ５２と、一対の端部バスバ５３と、を有する。
【００５４】
第一バスバ５１は、図５に示すように、電気的に接続された一方の外部端子１３から他方の外部端子１３までの間に、第一隣接部材２１と間隔を設けた状態で、Ｚ軸方向における第一隣接部材２１から離れる向き（図５における上向き）に凸状に延びる部位、及びＺ軸方向における第一隣接部材２１に接近する向き（図５における下向き）に凹状に延びる部位の少なくとも一方の部位を有する。本実施形態の第一バスバ５１は、凸状に延びる部位（以下、「緩衝部」とも称することがある。）５１３を有している。この第一バスバ５１の緩衝部５１３は、第一隣接部材２１の凸部２１１２に沿った形状を有する。本実施形態の第一バスバ５１は、矩形の板状の部材が折り曲げ加工等されることによって形成される。具体的には、以下の通りである。
【００５５】
第一バスバ５１は、Ｘ軸方向の一方側（図５の左側）において第一隣接部材２１と隣り合う蓄電素子１０の外部端子１３に固着される第一固着部（第一接続部）５１１と、Ｘ軸方向の他方側（図５の右側）において第一隣接部材２１と隣り合う蓄電素子１０の外部端子１３に固着される第二固着部（第二接続部）５１２と、第一固着部５１１と第二固着部５１２とを接続する緩衝部５１３と、を有する。即ち、第一バスバ５１は、第一隣接部材２１が間に位置するように隣り合う蓄電素子１０の外部端子１３同士を接続する。この第一バスバ５１は、第一隣接部材２１と非接触状態で該第一隣接部材２１を跨ぐように該第一隣接部材２１の両隣りの蓄電素子１０の外部端子１３同士を接続する。本実施形態の第一バスバ５１は、矩形の板状の部材を屈曲等することにより形成される。
【００５６】
第一固着部５１１は、Ｘ−Ｙ面（Ｘ軸とＹ軸とを含む面）方向に広がるＺ軸方向視が矩形の部位である。第一固着部５１１は、中央部に貫通孔５１１Ａを有する。本実施形態の第一固着部５１１は、貫通孔５１１Ａの周縁に沿って溶接されることで外部端子１３に固着される。本実施形態の第一固着部５１１は、蓄電素子１０の正極の外部端子１３に固着される。
【００５７】
第二固着部５１２は、Ｘ−Ｙ面方向に広がるＺ軸方向視が矩形の部位である。第二固着部５１２は、中央部に貫通孔５１２Ａを有する。この第二固着部５１２の貫通孔５１２Ａは、第一固着部５１１の貫通孔５１１Ａより大きい。本実施形態の第二固着部５１２は、貫通孔５１２Ａの周縁に沿って溶接されることで外部端子１３に固着される。本実施形態の第二固着部５１２は、蓄電素子１０の負極の外部端子１３に固着される。
【００５８】
緩衝部５１３は、第一固着部５１１の端から立ち上がる（Ｚ軸方向に延びる）第一起立部５１３１と、第一起立部５１３１とＸ軸方向に間隔を空けて第二固着部５１２の端から立ち上がる（Ｚ軸方向に延びる）第二起立部５１３２と、Ｘ軸方向に延びて第一起立部５１３１の先端と第二起立部５１３２の先端とを繋ぐ架け渡し部５１３３と、を有する。架け渡し部５１３３は、Ｘ軸方向に沿って延びている。
【００５９】
第二バスバ５２は、図１、図２、及び図６に示すように、Ｘ軸方向に延びる（詳しくは、Ｘ―Ｙ平面方向に広がる）略矩形の板状であり、Ｘ軸方向の両端部に二つの貫通孔５２Ａを有する。これら二つの貫通孔５２Ａの大きさは異なる。本実施形態の蓄電装置１では、第二バスバ５２の大きい貫通孔５２Ａが設けられた部位（端部）は、負極の外部端子１３に接続され、小さい貫通孔５２Ａが設けられた部位（端部）は、正極の外部端子１３に接続される。
【００６０】
一対の端部バスバ５３のそれぞれは、図１、図２、及び図７に示されるように、一方の端子台７（総端子７１）と、直列に接続された複数の蓄電素子１０の一方の極（例えば、正極）側の端部に配置された蓄電素子１０の外部端子１３と、を導通させると共に、他方の端子台７（総端子７１）と、直列に接続された複数の蓄電素子１０の他方の極（例えば、負極）側の端部に配置された蓄電素子１０の外部端子１３と、を導通させる。
【００６１】
本実施形態の端部バスバ５３は、Ｘ軸方向に延びる板状の部材であり、Ｘ軸方向の途中位置に、Ｙ軸方向から見て迂回するように延びる迂回部５３１を有する。より具体的に、端部バスバ５３は、端子台７に固着される第三固着部５３３と、蓄電素子１０の外部端子１３に固着される第四固着部５３４と、第三固着部５３３と第四固着部５３４とを接続する迂回部５３１と、を有する。第三固着部５３３及び第四固着部５３４は、Ｘ−Ｙ面方向に広がる矩形板状の部位である。第三固着部５３３は、貫通孔５３３Ａを有し、第四固着部５３４は、貫通孔５３４Ａを有する。貫通孔５３３Ａ、５３４Ａの大きさは異なる。本実施形態の迂回部５３１は、第三固着部５３３の端から立ち上がる（Ｚ軸方向に延びる）第三起立部５３１１と、第三起立部５３１１とＸ軸方向に間隔を空けて第四固着部５３４の端から立ち上がる（Ｚ軸方向に延びる）第四起立部５３１２と、第三起立部５３１１の先端と第四起立部５３１２の先端とを繋ぎ且つＹ軸方向視が円弧状の湾曲部５３１３と、を有する。
【００６２】
端子台７は、図１、図２、及び図８に示すように、外部機器、他の蓄電装置１等と接続される総端子７１と、保持部材３に取り付けられて総端子７１を支持する基台部７２と、を有する。また、本実施形態の端子台７は、蓄電装置１の不使用時等に総端子７１が人、他の部材等と接触するのを防ぐために総端子７１を覆う端子カバー７３も有する。本実施形態の総端子７１は、端部バスバ５３（詳しくは第三固着部５３３）が接続（固着）される板状部材７１１と、外部機器等の端子を固定するために用いられるねじ部材７１２と、を有する。
【００６３】
板状部材７１１は、導電性を有する。本実施形態の板状部材７１１は、Ｙ軸方向から見てＬ字状の部材、即ち、中間位置で屈曲している板状の部材である。具体的に、板状部材７１１は、所定の方向（本実施形態の例ではＸ軸方向）に延び且つ基台部７２を介して終端部材３０に固定される第一部位７１１１と、第一部位７１１１から前記所定の方向と交差する方向（本実施形態の例ではＺ軸方向）に延びる第二部位７１１２と、を有する。
【００６４】
ねじ部材７１２は、板状部材７１１（本実施形態の例では、第二部位７１１２）から突出する。具体的に、ねじ部材７１２は、第二部位７１１２からＸ軸方向に延びる雄ねじ部７１２１と、雄ねじ部７１２１の一端においてＹ−Ｚ面方向に広がる頭部７１２２と、を有する。
【００６５】
基台部７２は、終端部材３０に固定され、且つ板状部材７１１に対して終端部材３０が位置する側において該板状部材７１１を支持する。基台部７２は、板状部材７１１の第二部位７１１２を貫通する雄ねじ部７１２１（ねじ部材７１２）が間に位置するように互いに対向する一対の側壁部７２１を有する。一対の側壁部７２１のＺ軸方向の端部（図８における上端部）において、端子カバー７３がＹ軸方向に延びる所定の軸Ｃを回転中心に回動可能に取り付けられている。この端子カバー７３が閉じた状態（一対の側壁部７２１の端縁間に掛け渡された状態）では、一対の側壁部７２１と該端子カバー７３とによって総端子７１（詳しくは、板状部材７１１の第二部位７１１２及びねじ部材７１２）が囲われる。一方、端子カバー７３が開いた状態（所定の軸Ｃを回転中心にして回動した状態：図２、図８の二点鎖線参照）では、ねじ部材７１２）の先端側が開放された状態となる。
【００６６】
以上の蓄電装置１によれば、蓄電装置１にＸ軸方向の加速度等が生じたときの保持部材３（第一隣接部材２１）と、第一隣接部材２１の一方側の蓄電素子１０と、第一隣接部材２１の他方側の蓄電素子１０との移動距離の違い等によって第一隣接部材２１の両側に配置される蓄電素子１０同士の間隔が変化しても、図９及び図１０に示すように、該蓄電素子１０の外部端子１３同士を接続する第一バスバ５１の緩衝部５１３が広がる又は狭まる（詳しくは、架け渡し部５１３３が湾曲して第一起立部５１３１の第一固着部５１１側の端部と第二起立部５１３２の第二固着部５１２側の端部との間隔が広がる又は狭まる）ことで、第一バスバ５１における第一固着部５１１及び第二固着部５１２（外部端子１３と接続されている部位）に前記間隔の変化に起因する応力が集中するのが抑えられる。これにより、第一バスバ５１において前記間隔の変化に起因する損傷が防がれる、即ち、第一隣接部材２１の両側に配置される蓄電素子１０の外部端子１３同士を接続する第一バスバ５１が損傷し難くなる。
【００６７】
本実施形態の蓄電装置１では、第一隣接部材２１が保持部材３に固定され、複数の蓄電素子１０は、保持部材３に囲まれることで保持部材３に保持されている。蓄電装置１に第一方向の加速度が生じた場合、第一隣接部材２１と保持部材３との間では相対的な変位はほとんど生じないが、蓄電素子１０と保持部材３との間及び蓄電素子１０と第一隣接部材２１との間では相対的な変位が生じやすい。このため、第一隣接部材２１の両側に配置される蓄電素子１０同士の間隔は、大きく変化しやすい。本実施形態の第一バスバ５１は、このような蓄電装置１において、特に効果的である。
【００６８】
また、本実施形態の蓄電装置１では、Ｘ軸方向に並ぶ蓄電素子１０の外部端子１３と終端部材３０に固定された総端子７１とを接続する端部バスバ５３が迂回部５３１を有している。このため、蓄電装置１にＸ軸方向の加速度等が生じたときの保持部材３（終端部材３０）と、終端部材３０の隣にある蓄電素子１０との移動距離の違い等によって総端子７１と外部端子１３との間隔が変化しても、端部バスバ５３の凸状に延びる迂回部５３１が広がる又は狭まることで、端部バスバ５３における総端子７１と接続されている部位及び外部端子１３と接続されている部位に前記間隔の変化に起因する応力が集中するのが抑えられる。これにより、端部バスバ５３において前記間隔の変化に起因する損傷が防がれる、即ち、蓄電素子１０の外部端子１３と保持部材３に固定された総端子７１とを接続する端部バスバ５３が損傷し難い。
【００６９】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７０】
上記実施形態の蓄電装置１では、第一バスバ５１が、第一固着部５１１と第二固着部５１２との間に、一つの凸状の緩衝部（第一隣接部材２１と間隔を設けた状態でＺ軸方向の第一隣接部材２１から離れる向きに凸状に延びる部位）５１を有しているが、この構成に限定されない。
【００７１】
例えば、第一バスバ５１は、図１１に示すように、第一固着部５１１と第二固着部５１２との間に、凹状の緩衝部（第一隣接部材２１と間隔を設けた状態でＺ軸方向の第一隣接部材２１に接近する向きに凹状に延びる部位）５１５を有してもよい。また、第一バスバ５１は、第一固着部５１１と第二固着部５１２との間に、複数の凸状の緩衝部５１３、又は複数の凹状の緩衝部５１５を有してもよい。
【００７２】
また、緩衝部５１３は、図１２に示すように、Ｙ軸方向から見て迂回するように延びる迂回部５１６を有してもよい。即ち、第一バスバ５１は、緩衝部５１３において、第一起立部５１３１と架け渡し部５１３３との間、及び第二起立部５１３２と架け渡し部５１３３との間の少なくとも一方に、湾曲や屈曲等の曲がっている部位を有してもよい。この曲がっている部位は、一つの迂回部５１６の中に複数配置されていてもよい。例えば、迂回部５１６は、第一固着部５１１の端から立ち上がる（Ｚ軸方向に延びる）第三起立部５１６１と、第三起立部５１６１とＸ軸方向に間隔を空けて架け渡し部５１３３の端から立ち上がる（Ｚ軸方向に延びる）第四起立部５１６２と、第三起立部５１６１の先端と第四起立部５１６２の先端とを繋ぎ且つＹ軸方向から見て円弧状の湾曲部５１６３と、を有する。かかる構成によれば、第一隣接部材２１の両側に配置される蓄電素子１０同士の間隔が変化したときに、緩衝部５１３に加え、迂回部５１６も広がる又は狭まるため、第一バスバ５１における第一固着部５１１及び第二固着部５１２（外部端子１３と接続されている部位）に前記間隔の変化に起因する応力が集中するのがより効果的に抑えられる。尚、図１２に示す例では、緩衝部５１３は、迂回部５１６を二つ有しているが、一つ有していてもよく、三つ以上有していてもよい。
【００７３】
上記実施形態の蓄電装置１は、端子台７を備えているが、この構成に限定されない。蓄電装置１は、端子台７を備えない構成でもよい。この場合、複数のバスバ５によって直列に接続された複数の蓄電素子１０において、電流経路の最も端（正極側の端、及び負極側の端）に位置する外部端子１３に接続されたバスバ５が総端子として機能する。
【００７４】
上記実施形態の蓄電装置１では、第一バスバ５１が、二つの外部端子１３を互いに接続している（導通させている）が、この構成に限定されない。第一バスバ５１は、三つ以上の外部端子１３を互いに接続してもよい。例えば具体的に、第一固着部５１１がＸ軸方向における第一隣接部材２１の一方側において二つ以上の外部端子１３に固着されてもよく、第二固着部５１２がＸ軸方向における第一隣接部材２１の他方側において二つ以上の外部端子１３に固着されてもよい。
【００７５】
また、バスバ５に設けられる迂回部の具体的な構成は、限定されない。上記実施形態の迂回部５１６、５３１は、Ｙ軸方向から見てＺ軸方向に突出するように迂回して延びているが、例えば、図１３に示すように、Ｘ軸方向に突出するように迂回して延びる構成等でもよい。即ち、迂回部５１６、５３１は、１又は複数の屈曲部、湾曲部等を含むことで、バスバ５によって接続される複数の蓄電素子１０のＸ軸方向の間隔が変化したときに、この変化を吸収してバスバ５と外部端子１３との接続部位に応力が集中するのを防ぐ構成であればよい。
【００７６】
上記実施形態又は上記の他実施形態の蓄電装置１では、緩衝部５１３、５１５を有するバスバ５が跨ぐ隣接部材２が、凸部２１１２を有しているが、この構成に限定されない。例えば、図１１及び図１４に示すように、緩衝部５１３、５１５を有するバスバ５が跨ぐ隣接部材２が凸部を有しない構成、即ち、隣接部材２のバスバ５側の端面が平坦であってもよい。
【００７７】
上記実施形態の蓄電装置１では、第一隣接部材２１が保持部材３に固定されているが、この構成に限定されない。例えば、支持体に第一隣接部材２１が固定されてもよい。支持体とは、蓄電装置１を収納するパック筐体の一部、車両のシャーシ及びダクト等の構造体を意味する。この場合でも、第一隣接部材２１が保持部材３に固定されている場合と同様、蓄電装置１に生じた加速度により、第一隣接部材２１の両側に配置される蓄電素子１０同士の間隔が大きく変化しやすい。
【００７８】
また、上記実施形態の蓄電装置１では、該蓄電装置１の通常の使用状態において第一バスバ５１と第一隣接部材２１の凸部２１１２とが当接しないように、第一バスバ５１と凸部２１１２との間隔が十分に確保されているが、この構成に限定されない。例えば、第一バスバ５１と凸部２１１２との間隔は、図１５及び図１６に示すように、第一隣接部材２１の両側に配置される蓄電素子１０同士の間隔が所定量以上に変化しようとしたときに第一バスバ５１の少なくとも一部が凸部２１１２に当接することで前記所定量以上の変化を防ぐような間隔であってもよい。詳しくは、第一バスバ５１と凸部２１１２との間隔は、第一隣接部材２１の両側に配置される蓄電素子１０同士の間隔が所定量以上接近しようとした場合には第一バスバ５１の一部（図１５及び図１６に示す例では、第一起立部５１３１及び第二起立部５１３２）が凸部２１１２と当接することで前記接近が防がれる一方、第一隣接部材２１の両側に配置される蓄電素子１０同士の間隔が所定量以上離間しようとした場合には第一バスバ５１の他の部位（図１５及び図１６に示す例では、架け渡し部５１３３）が凸部２１１２と当接することで前記離間が防がれる、ような間隔であってもよい。
【００７９】
かかる構成によれば、第一隣接部材２１を挟んで隣り合う蓄電素子１０同士の間隔の変化が許容範囲内の場合には、第一バスバ５１の緩衝部５１３の変形によって第一固着部５１１及び第二固着部５１２に前記間隔の変化（変動）に起因する応力が集中することが抑えられる一方、前記間隔が許容範囲を超える（所定量以上の）場合には、第一バスバ５１の一部が凸部２１１２と当接する（図１５及び図１６に示す例では、第一起立部５１３１と第二起立部５１３２とが凸部２１１２と当接する、又は架け渡し部５１３３が凸部２１１２と当接する）ことで、前記許容範囲を超える間隔の変化が防がれる。
【符号の説明】
【００８０】
１…蓄電装置、２…隣接部材、２１…第一隣接部材、２１１…第一本体部、２１１１…連結部、２１１２…凸部、２１２…第一規制部、２１３…軸部、２１５…通風路、２１６…凸部、２２…第二隣接部材、２２１…第二本体部、２２２…第二規制部、２２５…通風路、２２６…凸部、２３…第三隣接部材、２３１…第三本体部、２３２…第三規制部、２３５…通風路、３…保持部材、３０…終端部材、３００…本体、３０１…圧接部、３０２…支持片、３１…対向部材、３１０…梁部、３１１…第一連結部、３１１１、３１１２…貫通孔、３１２…第二連結部、３１３…第三連結部、４…インシュレータ、５…バスバ、５０…中間バスバ、５１…第一バスバ、５１１…第一固着部（第一接続部）、５１１Ａ…貫通孔、５１２…第二固着部（第二接続部）、５１２Ａ…貫通孔、５１３、５１５…緩衝部、５１３１…第一起立部、５１３２…第二起立部、５１３３…架け渡し部、５１６…迂回部、５１６１…第三起立部、５１６２…第四起立部、５１６３…湾曲部、５２…第二バスバ、５２Ａ…貫通孔、５３…端部バスバ、５３１…迂回部、５３１１…第三起立部、５３１２…第四起立部、５３１３…湾曲部、５３３…第三固着部、５３３Ａ…貫通孔、５３４…第四固着部、５３４Ａ…貫通孔、６…取付部材、７…端子台、７１…総端子、７１１…板状部材、７１１１…第一部位、７１１２…第二部位、７１２…ねじ部材、７１２１…雄ねじ部、７１２２…頭部、７２…基台部、７２１…側壁部、７３…端子カバー、１０…蓄電素子、１１…電極体、１２…ケース、１２０…ケース本体、１２１…蓋板、１２３…閉塞部、１２４…胴部、１３…外部端子、Ｂ…ボルト
【図１】
0006685760.tif 000002
【図２】
0006685760.tif 000003
【図３】
0006685760.tif 000004
【図４】
0006685760.tif 000005
【図５】
0006685760.tif 000006
【図６】
0006685760.tif 000007
【図７】
0006685760.tif 000008
【図８】
0006685760.tif 000009
【図９】
0006685760.tif 000010
【図１０】
0006685760.tif 000011
【図１１】
0006685760.tif 000012
【図１２】
0006685760.tif 000013
【図１３】
0006685760.tif 000014
【図１４】
0006685760.tif 000015
【図１５】
0006685760.tif 000016
【図１６】
0006685760.tif 000017